(57)【特許請求の範囲】
【請求項１】
釣竿スタンドにおいて、
所定の弾性を具備し、弾性ロッド主体、枢接ロッド及び緊締部材を具え、該弾性ロッド主体は所定の弾性を具え、該緊締部材は該枢接ロッドの一端を該弾性ロッド主体の末端に枢接し、該緊締部材が緩められる時、該枢接ロッドが該弾性ロッド主体に対して所定角度間の揺動可能となり、該緊締部材が締められる時、該枢接ロッドと該弾性ロッド主体間の角度は緊迫位置決めされて揺動不能となる弾性ロッドと、
該弾性ロッドの外側に接続され、並びに該弾性ロッドに対して揺動でき、該弾性ロッド主体の外側に接続される支持フレームと、
該弾性ロッドの上端に接続されて釣竿を挟持できるホルダシートと、
を包含し、該弾性ロッドが力を受けて湾曲し並びにエネルギーを蓄え、該弾性ロッドの回復力により該弾性ロッドと該支持フレームが挟持力を発生することを特徴とする、釣竿スタンド。
【請求項２】
請求項１に記載の釣竿スタンドにおいて、該弾性ロッドの弾性ロッド主体と該枢接ロッドの相互枢接の当接面に、それぞれ第１歯面と第２歯面が設けられ、該緊締部材が締められ時、該第１歯面が該第２歯面と相互に噛み合い、該緊締部材が緩められる時、該第１歯面と該第２歯面は分離状態を呈することを特徴とする、釣竿スタンド。
【請求項３】
釣竿スタンドにおいて、
所定の弾性を具備する弾性ロッドと、
該弾性ロッドの外側に接続され、並びに該弾性ロッドに対して揺動でき、回転ユニット及び二つの脚を具え、該回転ユニットは該弾性ロッド上に枢接され、該弾性ロッドに対して回転可能であり、該脚は該回転ユニットに枢接され、該回転ユニットに対して揺動可能である支持フレームと、
該弾性ロッドの上端に接続されて釣竿を挟持できるホルダシートと、
を包含し、該弾性ロッドが力を受けて湾曲し並びにエネルギーを蓄え、該弾性ロッドの回復力により該弾性ロッドと該支持フレームが挟持力を発生することを特徴とする、釣竿スタンド。 
【請求項４】
請求項３に記載の釣竿スタンドにおいて、該弾性ロッドの外周面に環状溝が設けられ、該支持フレームの回転ユニットは枢接リング及び位置決め部材を具え、該枢接リングは、該弾性ロッドの環状溝内に嵌め置かれ、該枢接リングは外力作用を受けて該環状溝内で回転し、該位置決め部材は該枢接リングの一側をロックし、並びに外力作用を受けて該枢接リング上を緊迫し、これにより該枢接リングと該弾性ロッドの間に緊迫状態を形成して回転不能とすることを特徴とする、釣竿スタンド。
【請求項５】
請求項４に記載の釣竿スタンドにおいて、該支持フレームの脚が内管と外管を具え、該内管の一端は、該回転ユニットの枢接リングの外側に枢接され、該枢接リングに対して所定角度内の揺動を行え、該外管は該内管の他端外に嵌合され、並びに該内管に対して伸長と短縮の直線往復移動を行えることを特徴とする、釣竿スタンド。 
【請求項６】
請求項５に記載の釣竿スタンドにおいて、該支持フレームの脚がさらに伸縮位置決めユニットを具え、該伸縮位置決めユニットは該外管に設置され、並びに該内管に対して緊迫と開放を行ない、該内管に対して開放する時、該外管は該内管に対して伸長と短縮の直線往復移動を行え、該内管に対して緊迫する時、該外管と内管はロック状態を呈し、伸長と短縮不能となることを特徴とする、釣竿スタンド。 
【請求項７】
請求項６に記載の釣竿スタンドにおいて、該支持フレームの外管に径方向のネジ孔を具え、該支持フレームの伸縮位置決めユニットはＣリング、スクリューロッド及び施力部材を具え、該Ｃリングは該内管外周面に嵌合され、該スクリューロッドは該外管のネジ孔にねじ込まれ、並びにその一端は該Ｃリングに接続され、該施力部材は該スクリューロッドの他端に接続されて、施力インタフェースとされることを特徴とする、釣竿スタンド。
【請求項８】
釣竿スタンドにおいて、
所定の弾性を具備する弾性ロッドと、
該弾性ロッドの外側に接続され、並びに該弾性ロッドに対して揺動できる支持フレームと、
該弾性ロッドの上端に接続されて釣竿を挟持でき、スイングロッド、圧迫部材、嵌め管、固定部材及びホルダ部材を包含し、該圧迫部材は該スイングロッドの一端を該弾性ロッドの上端に枢接して、該圧迫部材が緩められる時、該スイングロッドが該弾性ロッドに対して所定角度間の揺動を行えるようにし、該圧迫部材が締められる時、該スイングロッドと該弾性ロッド主体間の角度は緊迫位置決めされて揺動不能となり、該嵌め管はその一端が該スイングロッドに嵌合されて、該スイングロッドに対して回転可能であり、該固定部材は該嵌め管に設置され、並びに該嵌め管に対して緊迫と開放を行ない、該固定部材が開放状態を呈する時、該嵌め管は該スイングロッドに対して回転可能で、該固定部材が緊迫状態を呈する時、該嵌め管と該スイングロッドとの間は位置決めされて回転不能となり、該ホルダ部材は該嵌め管上に設置されて、該釣竿を挟持固定するのに用いられるホルダシートと、
を包含し、該弾性ロッドが力を受けて湾曲し並びにエネルギーを蓄え、該弾性ロッドの回復力により該弾性ロッドと該支持フレームが挟持力を発生することを特徴とする、釣竿スタンド。
【請求項９】
請求項１乃至８のいずれかに記載の釣竿スタンドにおいて、該弾性ロッドは地面に挿入され、該弾性ロッドが力を受けて湾曲して緊張状態を呈し、支持フレームを利用して地面上に支持され、及び弾性ロッドの回復力により、弾性ロッドと支持フレームにより地面に挟持固定されることを特徴とする、釣竿スタンド。
【請求項１０】
釣竿スタンドにおいて、
所定の弾性を具備する弾性ロッドと、
該弾性ロッドの外側に接続され、並びに該弾性ロッドに対して揺動できる支持フレームと、
該弾性ロッドの上端に接続されて釣竿を挟持できるホルダシートと、
を包含し、該弾性ロッドが力を受けて湾曲し並びにエネルギーを蓄え、該弾性ロッドの回復力により該弾性ロッドと該支持フレームが挟持力を発生し、該弾性ロッドは地面に挿入され、該弾性ロッドが力を受けて湾曲して緊張状態を呈し、支持フレームを利用して地面上に支持され、及び弾性ロッドの回復力により、弾性ロッドと支持フレームにより地面に挟持固定されることを特徴とする、釣竿スタンド。
【発明の詳細な説明】
【技術分野】
【０００１】
本発明は釣竿に関係するアクセサリに関係し、さらに詳しくは、一種の釣竿スタンドに関する。
【背景技術】
【０００２】
釣りは忍耐と体力を鍛練できるレジャー活動であるのみならず、多くの楽しみを有し、家族で一緒に釣りに出かければ、大自然と触れ合えるほか、親子関係を良好とでき、実に多くのメリットを得られる。
【０００３】
釣りは場所の違いにより、磯釣り、船釣り、渓流釣り、湖釣り等に分けられる。しかし、どのような場所での釣りであっても、釣竿を握る時間が長くなれば、手腕或いは身体の負担をもたらす。
【０００４】
これにより、各種の異なった形態の釣り方式において、ほとんどが適合する釣竿スタンドを有しており、釣竿を釣竿スタンドに架設して、手で保持する必要をなくしているが、磯釣りだけは適合する釣竿スタンドがない。その原因は、磯釣りの環境の大部分は、岩場であり、特に離島の釣り場の場合、離島の地質は火山岩或いはその他の岩石であり、地面はごつごつして、高さが一定でなく、釣り人はいずれも起立することが非常に難しく、適当な位置を探して釣竿スタンドを設置することはさらに難しく、それに加え、磯釣りの場所は大海環境であり、風力は非常に強く、一般の釣竿スタンドでは釣竿が風を受ける時の力に耐えられず、簡単に倒れてしまうことにある。
【０００５】
このため、市場には、磯釣り用釣竿スタンドがあり、それは一本の直立する固定ロッドを有し、固定ロッド上に固定フレームを具え、固定ロッドは岩の隙間に挿入するのに用いられ、固定フレームは釣竿を置くのに用いられる。
【０００６】
このような釣竿スタンドは挿入するのに適合する孔を必要とする。しかし、岩場の隙間のほとんどは孔状ではなく、一般に細長い亀裂形式であり、このような亀裂は前述の釣竿スタンドの固定ロッドを差し込めたとしても、安定性を増すためには、ハンマー等で固定ロッドを亀裂中に打ち込まなければならず、操作が面倒であるのみならず、重いハンマーを携行しなければならない。
【０００７】
このほか、釣竿スタンドは亀裂に沿った方向は支持がなく、このため、このような釣竿スタンドをしっかりと立てて固定することはできず、随時亀裂に沿った方向に倒れる恐れがある。このため、少し強い風に当たるだけで、該釣竿スタンドが倒されやすく、釣りの楽しさをぶち壊すほか、高価な釣竿が、該釣竿スタンドが倒れると同時に、折れてしまう状況が発生し、これは釣り人にとっては、実に大きな損失である。
【発明の概要】
【発明が解決しようとする課題】
【０００８】
これを鑑み、本発明の一つの目的は、一種の釣竿スタンドを提供することにあり、それは、弾性回復力を利用して地面に挟持固定されることで、釣竿スタンドの安定性が増され、風に対する抵抗力及び外力の衝突に対する抵抗力がアップされて、風或いは外力の衝突を受けて倒れる状況を減らせるものとする。
【０００９】
本発明はこのほかに、一種の架設が容易な釣竿スタンドを提供することを目的とし、その操作は簡単で、且つ各種の地形に適合するものとする。
【課題を解決するための手段】
【００１０】
これにより、本発明は一種の釣竿スタンドを提供し、それは、所定の弾性を具備する弾性ロッド、該弾性ロッドの外側に接続され、並びに該弾性ロッドに対して揺動できる支持フレーム、該弾性ロッドの上端に接続されて釣竿を挟持できるホルダシート、を包含する。
【００１１】
そのうち、該弾性ロッドは力を受けて湾曲し並びにエネルギーを保存し、該弾性ロッドの回復力により、該弾性ロッド及び支持フレームが挟持力を発生する。
【００１２】
上述の釣竿スタンドは、該弾性ロッドが、弾性ロッド主体、枢接ロッド及び緊締部材を具えている。
【００１３】
該弾性ロッド主体は所定の弾性を具え、該緊締部材は該枢接ロッドの一端を該弾性ロッド主体の末端に枢接し、該緊締部材が緩められる時、該枢接ロッドが該弾性ロッド主体に対して所定角度間の揺動することを可能とし、該緊締部材が締められる時、該枢接ロッドと該弾性ロッド主体間の角度は緊締により定位されて揺動不能となる。該支持フレームは該弾性ロッド主体の外側に接続される。
【００１４】
上述の釣竿スタンドは、該弾性ロッドの弾性ロッド主体と該枢接ロッドの枢接の、相互の当接面に、それぞれ第１歯面と第２歯面が設けられ、該緊締部材が締められ時、該第１歯面は該第２歯面と相互に噛み合い、該緊締部材が緩められる時、該第１歯面と該第２歯面は分離状態を呈する。
【００１５】
上述の釣竿スタンドは、該支持フレームが回転ユニット及び二つの脚を具えている。該回転ユニットは該弾性ロッドに枢接され、該弾性ロッドに対して回転可能であり、該脚は該回転ユニットに枢接され、該回転ユニットに対して揺動可能である。
【００１６】
上述の釣竿スタンドは、該弾性ロッドの外周面に環状溝が設けられる。該支持フレームの回転ユニットは枢接リング及び位置決め部材を具え、該枢接リングは、該弾性ロッドの環状溝内に嵌め置かれ、該枢接リングは外力作用を受けて該環状溝内で回転し、該位置決め部材は該枢接リングの一側をロックし、並びに外力作用を受けて該枢接リング上を緊迫し、これにより該枢接リングと該弾性ロッドの間に緊迫状態を形成して回転不能とする。
【００１７】
上述の釣竿スタンドは、該支持フレームの脚が内管と外管を具えている。該内管の一端は、該回転ユニットの枢接リングの外側に枢接され、該枢接リングに対して所定角度内の揺動を行え、該外管は該内管の他端外に嵌合され、並びに該内管に対して伸長と短縮の直線往復移動を行える。
【００１８】
上述の釣竿スタンドは、該支持フレームの脚がさらに伸縮位置決めユニットを具え、該伸縮位置決めユニットは該外管に設置され、並びに該内管に対して緊迫と開放を行ない、該内管に対して開放する時、該外管は該内管に対して伸長と短縮の直線往復移動を行え、該内管に対して緊迫する時、該外管と内管はロック状態を呈し、伸長と短縮不能である。
【００１９】
上述の釣竿スタンドは、該支持フレームの外管に径方向のネジ孔を具えている。該支持フレームの伸縮位置決めユニットはＣリング、スクリューロッド及び施力部材を具え、該Ｃリングは該内管外周面に嵌合され、該スクリューロッドは該外管のネジ孔にねじ込まれ、並びにその一端は該Ｃリングに接続され、該施力部材は該スクリューロッドの他端に接続されて、施力インタフェースとされる。
【００２０】
上述の釣竿スタンドは、該ホルダシートがスイングロッド、圧迫部材、嵌め管、固定部材及びホルダ部材を包含する。
【００２１】
該圧迫部材は該スイングロッドの一端を該弾性ロッドの上端に枢接して、該圧迫部材が緩められる時、該スイングロッドが該弾性ロッドに対して所定角度間の揺動を行えるようにし、該圧迫部材が締められる時、該スイングロッドと該弾性ロッド主体間の角度は緊迫位置決めされて揺動不能とされる。
【００２２】
該嵌め管はその一端が該スイングロッドに嵌合されて、該スイングロッドに対して回転可能である。
【００２３】
該固定部材は該嵌め管に設置され、並びに該嵌め管に対して緊迫と開放を行ない、該固定部材が開放状態を呈する時、該嵌め管は該スイングロッドに対して回転可能で、該固定部材が緊迫状態を呈する時、該嵌め管と該スイングロッドとの間は位置決めされて回転不能とされる。該ホルダ部材は該嵌め管上に設置されて、該釣竿を挟持固定するのに用いられる。
【００２４】
上述の釣竿スタンドは、該弾性ロッドが地面に挿入され、該弾性ロッドが力を受けて湾曲して緊張状態を呈し、支持フレームを利用して地面上に支持され、及び弾性ロッドの回復力により、弾性ロッドと支持フレームにより地面に挟持固定される。
【発明の効果】
【００２５】
本発明は弾性ロッドが具備する弾性により、弾性ロッドが地面に差し込まれ、並びに外力により該弾性ロッドが湾曲され、それが緊張状態を呈するものとされ、さらに、支持フレームにより地面上に支持され、該弾性ロッドの湾曲の回復力により、弾性ロッドと支持フレームが地面に挟持固定され、釣竿スタンドをしっかり固定できるほか、風に対する抵抗力を増し、風にあたって倒れたり、或いは外力による不注意の接触を受けて倒れたりする状況を減らすことができる。
【図面の簡単な説明】
【００２６】
【図１】本発明の実施例の立体分解図である。
【図２】図１の実施例の立体組合せ図である。
【図３】図１の実施例の組合せ側面図である。
【図４】図１の実施例の局部断面図である。
【図５】図１の実施例の局部断面拡大図である。
【図６】図１の実施例の局部断面拡大図である。
【図７】図１の実施例の動作表示図である。
【図８】図１の実施例の使用状態立体図である。
【図９】図１の実施例の使用状態表示図である。
【図１０】図１の実施例のもう一種の使用状態表示図である。
【発明を実施するための形態】
【００２７】
本発明の技術内容、構造特徴、達成する目的を詳細に説明するため、以下に実施例を挙げ並びに図面を組み合わせて説明する。
【００２８】
図１〜１０に示されるように、本発明の提供する好ましい実施例の釣竿スタンド１００は、弾性ロッド１０、支持フレーム２０及びホルダシート３０を包含する。
【００２９】
そのうち、図１〜図３に示されるように、該弾性ロッド１０は、所定の弾性を有し、該弾性ロッド１０は、弾性ロッド主体１１、枢接ロッド１２及び緊締部材１３を包含する。
【００３０】
該弾性ロッド主体１１は、炭素繊維、ガラス繊維、金属或いはその他の所定の弾性を具えた材料で形成されたロッド体とされる。該緊締部材１３は該枢接ロッド１２の一端を該弾性ロッド主体１１の末端に枢接するのに用いられ、該緊締部材１３が開放される時、該枢接ロッド１２は該弾性ロッド主体１１に対して所定角度間の揺動を行え、該緊締部材１３が緊迫される時、該枢接ロッド１２と該弾性ロッド主体１１の間の角度は緊迫定位されて揺動不能となる。
【００３１】
該弾性ロッド主体１１の外周上に環状溝１１１が設けられている。
【００３２】
該枢接ロッド１２は金属材料、たとえば、ステンレスで形成され、剛性と靱性を有し、並びに海水の浸蝕に対する耐性がある。
【００３３】
図１〜図６を参照されたい。該支持フレーム２０は、該弾性ロッド１０の外側に接続される。該支持フレーム２０は、回転ユニット２１及び二つの脚２２を具えている。
【００３４】
該回転ユニット２１は枢接リング２１１及び位置決め部材２１２を具えている。該枢接リング２１１は該弾性ロッド１０の弾性ロッド主体１１の環状溝１１１内に嵌められ、該枢接リング２１１は外力作用を受けて該環状溝１１１内で回転可能とされる。
【００３５】
該位置決め部材２１２は該枢接リング２１１の一側をロックし（図５に示されるとおり）、並びに外力作用を受けて該枢接リング２１１上を緊迫し、該枢接リング２１１と該弾性ロッド主体１１の間に緊迫状態を形成して回転不能とする。
【００３６】
各脚２２は内管２２２、外管２２１及び伸縮位置決めユニット２２３を包含する。該内管２２２の一端は、該回転ユニット２１の枢接リング２１１の外側に枢接され、該枢接リング２１１に対して所定角度間の揺動することを可能とし、該外管２２１は該内管２２２の他端外に嵌合され、並びに該内管２２２に対して伸長と縮短の直線往復移動を行え、且つ該外管２２１に径方向のネジ孔２２４を具え、該伸縮位置決めユニット２２３は該外管２２１に設置され、並びに該内管２２２に対して緊迫と開放を行ない、該内管２２２に対して開放する時、該外管２２１は該内管２２２に対して伸長と短縮の直線往復移動を行え、該内管２２２に対して緊迫する時、該外管２２１と該内管２２２は緊迫状態を呈し、伸長と縮短を行えない。
【００３７】
該伸縮位置決めユニット２２３はＣリング２２５、スクリューロッド２２６及び施力部材２２７を具えている。該Ｃリング２２５は該内管２２２の外周面に嵌合され、該スクリューロッド２２６は該外管２２１のネジ孔２２４中にねじ込まれ、並びにその一端は該Ｃリング２２５に接続される。該施力部材２２７は該スクリューロッド２２６の他端に接続され（図６に示されるとおり）、外界の施力インタフェースとされる。
【００３８】
このほか、該外管２２１の上端に拡大部２２８が設けられ、該拡大部２２８内に収容空間２２９が設けられて、該ネジ孔２２４は該拡大部２２８に設けられ、並びに収容空間２２９と連通し、該Ｃリング２２５は該収容空間２２９中に収容される。
【００３９】
本実施例は、弾性ロッド１０が力を受けて湾曲し並びにエネルギーを保存して発生する回復力により、該弾性ロッド１０及び支持フレーム２０に挟持力を発生させる。
【００４０】
図１〜図４、及び図７を参照されたい。該ホルダシート３０は、該弾性ロッド１０の上端に接続されて、釣竿の架設及び挟持固定に供される。
【００４１】
該ホルダシート３０はスイングロッド３１、圧迫部材３２、嵌め管３３、固定部材３４及びホルダ部材３５を包含する。
【００４２】
該圧迫部材３２は該スイングロッド３１の一端を該弾性ロッド主体１１の上端に枢接するのに用いられ、該圧迫部材３２が緩められる時、該スイングロッド３１は該弾性ロッド主体１１に対して所定角度間の揺動が可能となり（図７に示されるとおり）、該圧迫部材３２が緊締される時、該スイングロッド３１と該弾性ロッド主体１１間の角度は、緊迫定位され揺動不能とされる。
【００４３】
該嵌め管３３はその一端が該スイングロッド３１上に嵌合され、該スイングロッド３１に対して３６０度の回転可能とされる。
【００４４】
該固定部材３４は該嵌め管３３上に設置され、並びに該嵌め管３３に対して緊締と開放を行え、該固定部材３４が緩められる時、該嵌め管３３は該スイングロッド３１に対して３６０度の回転可能である。該固定部材３４が締められる時、該嵌め管３３と該スイングロッド３１の間は定位されて回転不能となる。
【００４５】
該ホルダ部材３５は該嵌め管３３上に設置され、釣竿の架設及び挟持固定に供される。
【００４６】
以上は、本発明の提供する釣竿スタンド１００の主要な構成部品及びその組立方式の簡単な紹介であり、続いて、その使用特徴について以下に紹介する。
【００４７】
まず、図８及び図９に示されるように、本発明を使用する時は、該弾性ロッド１０の枢接ロッド１２を、先に岩石９１の間の亀裂或いは隙間９３中に挿入し、さらにわずかに弾性ロッド１０を回して、該弾性ロッド主体１１を、その弾性を具備する特性によりやや湾曲する状態となす。
【００４８】
続いて、さらに、該支持フレーム２０の二つの脚２２を、該弾性ロッド１０が弾性回復する方向の岩石９１上に支持し、これにより、該弾性ロッド１０を該脚２２の支持により弾性回復しないようにし、これにより、該弾性ロッド１０と該二つの脚２２の間に、緊張状態を形成させ、回復力の作用下で、岩石９１上に挟持固定されるようにし、これによりホルダシート３０上に挟持された釣竿９２を、しっかりと固定し、風を心配する必要をなくす。
【００４９】
このほか、該支持フレーム２０の脚２２には伸縮する外管２２１及び内管２２２が採用されたことで、地形に応じて伸縮させて使用することができる。
【００５０】
以上のように、本発明は、該弾性ロッド１０が具備する弾性により、弾性ロッドが地面に挿入され、該弾性ロッドが力を受けて湾曲して緊張状態とされ、さらに支持フレームにより地面に支持され、弾性ロッドと支持フレームにより地面に挟持固定され、これにより、本発明の釣竿スタンド１００がしっかりと設置され、風に対する抵抗力が増されて、風により倒される状況が減少される。
【００５１】
このほか、図１０に示されるように、該枢接ロッド１２と該弾性ロッド主体１１の相対回転可能である特性により、異なる環境の必要に応じて、該枢接ロッド１２は異なる角度で位置決めでき、大幅に本発明の適用性がアップされている。
【００５２】
次に、上述の実施例中、該弾性ロッド主体１１と該枢接ロッド１２の相互に枢接する当接面に、それぞれ第１歯面１１２と第２歯面１２１が設けられ、該第１歯面１１２と該第２歯面１２１の相互噛み合いにより、定位時の固定効果がアップされる。すなわち、該緊締部材１３が締められる時、該第１歯面１１２と該第２歯面１２１が相互に噛み合い、該緊締部材１３が緩められる時、該第１歯面１１２と該第２歯面１２１は分離状態を呈する。
【００５３】
さらに、該弾性ロッド主体１１と該スイングロッド３１の相互に枢接する当接面に第３歯面１１３及び第４歯面３１１が設けられ、該第３歯面１１３及び第４歯面３１１の相互噛み合いにより、定位時の固定効果がアップされる。
【００５４】
上述の実施例中、該弾性ロッドと該支持フレームは岩場の地面上に固定されるが、事実上は、該弾性ロッドと該支持フレームは砂地、泥地、或いはその他の地面に固定でき、いずれも同じ効果を達成できる。
【００５５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５６】
１００  釣竿スタンド
１０  弾性ロッド
１１  弾性ロッド主体
１１１  環状溝
１１２  第１歯面
１１３  第３歯面
１２  枢接ロッド
１２１  第２歯面
１３  緊締部材
２０  支持フレーム
２１  回転ユニット
２１１  枢接リング
２１２  位置決め部材
２２  脚
２２１  外管
２２２  内管
２２３  伸縮位置決めユニット
２２４  ネジ孔
２２５  Ｃリング
２２６  スクリューロッド
２２７  施力部材
２２８  拡大部
２２９  収容空間
３０  ホルダシート
３１  スイングロッド
３１１  第４歯面
３２  圧迫部材
３３  嵌め管
３４  固定部材
３５  ホルダ部材
９１  岩石
９２  釣竿
９３  亀裂或いは間隙
【図１】
0005624164.tif 000002
【図２】
0005624164.tif 000003
【図３】
0005624164.tif 000004
【図４】
0005624164.tif 000005
【図５】
0005624164.tif 000006
【図６】
0005624164.tif 000007
【図７】
0005624164.tif 000008
【図８】
0005624164.tif 000009
【図９】
0005624164.tif 000010
【図１０】
0005624164.tif 000011